(57)【要約】【課題】盤内に配置した付属装置に対して複数の端子台を並列に接続する際に、接続作業を容易に行うことができるプラグイン形の回路遮断器を提供する。【解決手段】端子台２０と、外部接続端子２３ａ，２３ｂ，２４ａ，２４ｂを有する回路遮断器本体２１とを備え、配電盤１に複数台並べて配置され付属装置７に接続されるプラグイン形の回路遮断器２Ａ，２Ｂ，２Ｃである。端子台は、並び方向に対して直交する方向に互いに離間して第１及び第２の付属側接続部３０ｂ，３１ｂが形成され、端子台の並び方向の両端まで直線状に延在する第１の配線用空間３６、第２の配線用空間３９が形成されている。そして、並べて配置された複数台の端子台は、各端子台の第１の配線用空間が直線状に連続し、各端子台の第２の配線用空間が直線状に連続し、それらに第１の直線状配線部材４０、第２の直線状配線部材４１を配置する。【選択図】図７
2015096011.tif 000002
【特許請求の範囲】
【請求項１】
端子台と、この端子台に挿抜可能な外部接続端子を有する回路遮断器本体とを備え、配電盤、分電盤、制御盤などの盤内に複数台並べて配置され、前記盤内に配置した付属装置に接続されるプラグイン形の回路遮断器であって、
前記端子台は、並び方向に対して直交する方向に互いに離間して第１及び第２の付属側接続部が形成され、
前記端子台は、前記第１の付属側接続部を含めた領域であって前記端子台の並び方向の両端まで直線状に延在する第１の配線用空間が形成されているとともに、前記第２の付属側接続部を含めた領域であって前記第１の配線用空間に平行に前記端子台の並び方向の両端まで直線状に延在する第２の配線用空間が形成されており、
並べて配置された複数台の前記端子台は、各端子台の前記第１の配線用空間が直線状に連続するとともに、各端子台の前記第２の配線用空間が直線状に連続し、
直線状に連続した複数の前記端子台の前記第１の配線用空間に第１の直線状配線部材を配置して前記第１の付属側接続部を接続し、
直線状に連続した複数の前記端子台の前記第２の配線用空間に第２の直線状配線部材を配置して前記第２の付属側接続部を接続し、
これら第１及び第２の直線状配線部材の端部が、前記盤内に配置した前記付属装置に接続されていることを特徴とする回路遮断器。
【請求項２】
前記端子台は、前記第１の配線用空間及び前記第２の配線用空間の間に、前記第１及び第２の直線状配線部材の絶縁を確保する仕切り壁を設けたことを特徴とする請求項１記載の回路遮断器。
【請求項３】
前記端子台に設けた前記第１及び第２の付属側接続部は、前記回路遮断器本体がトリップ動作を行ったときに連動して開閉動作を行う補助接点に接続することを特徴とする請求項１又は２記載の回路遮断器。
【請求項４】
前記付属装置は、前記盤内に複数台並べて配置された前記回路遮断器本体の何れかがトリップ動作を行ったときに警報を発する警報装置であることを特徴とする請求項３記載の回路遮断器。
【発明の詳細な説明】
【技術分野】
【０００１】
本発明は、配線用遮断器や漏電遮断器などの回路遮断器に関し、特に、配電盤等に装着した端子台と、この端子台に挿抜可能な外部接続端子を有する回路遮断器本体を備えたプラグイン形の回路遮断器に関する。
【背景技術】
【０００２】
図８は、配電盤１の回路図を示すものであり、電源から分岐して負荷Ａ，負荷Ｂ，負荷Ｃに接続する各分岐回路のそれぞれに回路遮断器２Ａ，２Ｂ，２Ｃが接続されている。各回路遮断器２Ａ，２Ｂ，２Ｃは、主回路３の主回路接点４と、短絡事故等で主回路３に過電流が流れたときに主回路接点４をトリップ状態に動作させる過電流引外し装置５と、過電流引外し装置５に連動するａ接点（常開接点）の補助接点６とを備えた装置である。
【０００３】
図８の配電盤１には、回路遮断器２Ａ，２Ｂ，２Ｃの何れかがトリップ状態であることを外部に報知するために、各分岐回路の回路遮断器２Ａ，２Ｂ，２Ｃの補助接点６に並列に警報装置７が接続されている。そして、回路遮断器２Ａ，２Ｂ，２Ｃの何れかがトリップ状態となり、その回路遮断器の補助接点６が閉動作をすると、警報装置７が例えば警報音を発するようになっている。
配電盤１に配置する回路遮断器は、配置盤の簡素化、小スペース化、着脱装置の簡便化を図るためにプラグイン形式の回路遮断器が採用されている（例えば特許文献１〜特許文献３）。
プラグイン形の回路遮断器の構造として、配電盤１の盤内に固定した直方体形状の端子台と、各端子台に着脱自在に装着した回路遮断器本体と、を備えたものが知られている。
【０００４】
図９は、端子台８Ａ，８Ｂ，８Ｃを、互いに短尺方向に並べて配電盤１に配置した状態を示すものである。端子台８Ａ，８Ｂ，８Ｃは、長手方向両端部の内部に端子台電源側端子９ａ，９ｂ及び端子台負荷側端子１０ａ，１０ｂを設けた端子台ケースを備えており、この端子台ケースには、端子台電源側端子９ａ，９ｂ及び負端子台負荷側端子１０ａ，１０ｂに向けて開口する差し込み口１１が形成されている。端子台８Ａ，８Ｂ，８Ｃの長手方向の中央部には、互いに短尺方向に並びながら端子台ケースの外部に露出する端子台補助端子１２ａ，１２ｂが設けられている。
【０００５】
端子台８Ａ，８Ｂ，８Ｃの端子台電源側端子９ａ，９ｂには電源側配線（不図示）が接続され、端子台負荷側端子１０ａ，１０ｂには負荷Ａ，Ｂ，Ｃの負荷側配線（不図示）が接続されている。また、警報装置７及び端子台８Ａ，８Ｂ，８Ｃの端子台補助端子１２ａ，１２ｂを複数の補助配線１３ａ〜１３ｆで接続することにより、警報装置７に対して端子台８Ａ，８Ｂ，８Ｃの補助接点６が並列に接続されている。
【０００６】
そして、回路遮断器本体の主回路接点４に接続して回路遮断器本体の下部から外部に突出している本体電源側外部端子及び本体負荷側外部端子を、端子台８Ａ，８Ｂ，８Ｃの差し込み口１１に挿入して係合すると、回路遮断器本体が端子台８Ａ，８Ｂ，８Ｃに着脱自在に装着され、本体電源側外部端子が端子台電源側端子９ａ，９ｂに接続され、本体負荷側外部端子が端子台負荷側端子１０ａ，１０ｂに接続されるとともに、回路遮断器本体の補助接点６に接続して回路遮断器本体の下部から外部に突出している本体補助外部端子が端子台補助端子１２ａ，１２ｂに接続される。
【先行技術文献】
【特許文献】
【０００７】
【特許文献１】特開２００７−４８６０１号公報
【特許文献２】特開２００４−３６３０６６号公報
【特許文献３】特開平１１−９６８６１号公報
【発明の概要】
【発明が解決しようとする課題】
【０００８】
ところで、図９で示した端子台８Ａ，８Ｂ，８Ｃの端子台補助端子１２ａ，１２ｂは、補助配線１３ａ〜１３ｆを接続する方向（配線方向）が長尺方向（端子台電源側端子９ａ，９ｂから端子台負荷側端子１０ａ，１０ｂに向かう方向）であり、端子台補助端子１２ａ，１２ｂの並び方向が短尺方向に設定されているので、補助配線１３ａ〜１３ｆは、警報装置７及び端子台８Ａ，８Ｂ，８Ｃの間を渡り配線で接続されているとともに、異極同士の補助配線（例えば補助配線１３ｂ，１３ｅ同士、或いは補助配線１３ｃ，１３ｆ同士）が交叉した状態となっている。
このように、補助配線１３ａ〜１３ｆを警報装置７及び端子台８Ａ，８Ｂ，８Ｃの間で渡り配線、且つ交叉した状態で接続する場合には、配線間違いを防止するために補助配線１３ａ〜１３ｆの慎重な接続作業を行わなければならず、配線作業に手間が掛かるという問題がある。
そこで、本発明は、盤内に配置した付属装置に対して複数の端子台を並列に接続する際に、接続作業を容易に行うことができるプラグイン形の回路遮断器を提供することを目的としている。
【課題を解決するための手段】
【０００９】
上記目的を達成するために、本発明の一態様に係る回路遮断器は、端子台と、この端子台に挿抜可能な外部接続端子を有する回路遮断器本体とを備え、配電盤、分電盤、制御盤などの盤内に複数台並べて配置され、前記盤内に配置した付属装置に接続されるプラグイン形の回路遮断器であって、前記端子台は、並び方向に対して直交する方向に互いに離間して第１及び第２の付属側接続部が形成され、前記端子台は、前記第１の付属側接続部を含めた領域であって前記端子台の並び方向の両端まで直線状に延在する第１の配線用空間が形成されているとともに、前記第２の付属側接続部を含めた領域であって前記第１の配線用空間に平行に前記端子台の並び方向の両端まで直線状に延在する第２の配線用空間が形成されており、並べて配置された複数台の前記端子台は、各端子台の前記第１の配線用空間が直線状に連続するとともに、各端子台の前記第２の配線用空間が直線状に連続し、
直線状に連続した複数の前記端子台の前記第１の配線用空間に第１の直線状配線部材を配置して前記第１の付属側接続部を接続し、直線状に連続した複数の前記端子台の前記第２の配線用空間に第２の直線状配線部材を配置して前記第２の付属側接続部を接続し、これら第１及び第２の直線状配線部材の端部が、前記盤内に配置した前記付属装置に接続されている。
【００１０】
この発明の一態様に係る回路遮断器によると、直線状に連続した複数の端子台の第１の配線用空間に第１の直線状配線部材を配置して第１の付属側接続部を接続し、直線状に連続した複数の端子台の第２の配線用空間に第２の直線状配線部材を配置して第２の付属側接続部を接続するといった簡単な配線作業を行うだけで、付属装置に対して複数の回路遮断器を並列に接続することができるので、従来装置のような渡り配線、且つ交叉した状態で配線を接続する作業が不要となるので配線間違いを確実に防止する。
【００１１】
また、本発明の一態様に係る回路遮断器は、前記端子台が、前記第１の配線用空間及び前記第２の配線用空間の間に、前記第１及び第２の直線状配線部材の絶縁を確保する仕切り壁を設けている。
この発明の一態様に係る回路遮断器によると、非絶縁性の第１及び第２の直線状配線部材を使用しても絶縁性を十分に確保することができる。
また、本発明の一態様に係る回路遮断器は、前記端子台に設けた前記第１及び第２の付属側接続部が、前記回路遮断器本体がトリップ動作を行ったときに連動して開閉動作を行う補助接点に接続する。
この発明の一態様に係る回路遮断器によると、回路遮断器本体がトリップ動作に連動して付属装置を動作させることができる。
【００１２】
さらに、本発明の一態様に係る回路遮断器は、前記付属装置が、前記盤内に複数台並べて配置された前記回路遮断器本体の何れかがトリップ動作を行ったときに警報を発する警報装置である。
この発明の一態様に係る回路遮断器によると、何れかの回路遮断器を配置した回路に短絡事故などにより過電流が流れたときに、警報装置で警報を発することができる。
【発明の効果】
【００１３】
本発明に係る回路遮断器によれば、直線状に連続した複数の端子台の第１の配線用空間に第１の直線状配線部材を配置して第１の付属側接続部を接続し、直線状に連続した複数の端子台の第２の配線用空間に第２の直線状配線部材を配置して第２の付属側接続部を接続するといった簡単な配線作業を行うだけで、付属装置に対して複数の回路遮断器を並列に接続することができるので、盤内に配置した付属装置に対して複数の端子台を並列に接続する際に、接続作業を容易に行うことができる。
【図面の簡単な説明】
【００１４】
【図１】本発明に係るプラグイン形の回路遮断器を示す斜視図である。
【図２】回路遮断器を構成する回路遮断器本体を上方から示した斜視図である。
【図３】回路遮断器本体を下方から示した斜視図である。
【図４】回路遮断器を構成する端子台を平面視で示した図である。
【図５】端子台に設けた端子台補助端子の構造を拡大して示した平面図である。
【図６】端子台を側方から示した斜視図である。
【図７】複数の端子台が短尺方向に並べて配置され、複数の端子台を短尺方向に横切るように直線状の配線が接続されている状態を示す平面図である。
【図８】配電盤の盤内に配置した付属装置に、複数の回路遮断器の補助接点が並列に接続した状態を示した回路図である。
【図９】従来の複数の端子台同士の配線を示す図である。
【発明を実施するための形態】
【００１５】
以下、本発明を実施するための形態（以下、実施形態という。）を、図面を参照しながら詳細に説明する。なお、図８で示した構成と同一構成部分には、同一符号を付してその説明を省略する。
図１は、配電盤１に配置されるプラグイン形の回路遮断器２Ａ，２Ｂ，２Ｃを示すものであり、配電盤１の盤内に固定される直方体形状の端子台２０と、端子台２０に着脱自在に装着されている回路遮断器本体２１とを備えている。そして、本実施形態においても、配電盤１の盤内でプラグイン形の回路遮断器２Ａ，２Ｂ，２Ｃの補助接点６に並列に警報装置７が接続される。
【００１６】
回路遮断器本体２１は、図２に示すように、開閉操作ハンドル２２、可動接触子（不図示）、固定接触子（不図示）、接触子開閉機構（不図示）、図８で示した主回路接点４、短絡事故等で主回路３に過電流が流れたときに主回路接点４をトリップ状態に動作させる過電流引外し装置５、過電流引外し装置５に連動するａ接点（常開接点）の補助接点６が内蔵されている。
また、図３に示すように、回路遮断器本体２１の下部に、本体電源側外部端子２３ａ，２３ｂ及び本体負荷側外部端子２４ａ，２４ｂが突出して設けられており、これら本体電源側外部端子２３ａ，２３ｂ及び本体負荷側外部端子２４ａ，２４ｂの間に、本体補助外部端子２５ａ，２５ｂが突出して設けられている。
【００１７】
端子台２０は、図４に示すように、直方体形状の端子台ケース２６の長手方向の両端部の側面から端子台電源側端子２７ａ，２７ｂ及び端子台負荷側端子２８ａ，２８ｂが突出して設けられており、端子台ケース２６に、端子台電源側端子２７ａ，２７ｂ及び端子台負荷側端子２８ａ，２８ｂに向けて差し込み口２９が開口している。
また、端子台ケース２６の長手方向の中央部に、端子台ケース２６の長手方向に互いに離間して端子台補助端子３０，３１が設けられている。
【００１８】
一方の端子台補助端子３０は、図５に示すように、本体補助外部端子２５ａ（図３参照）が当接して接続する本体側接続部３０ａと、本体側接続部３０ａから端子台電源側端子２７ａ，２７ｂ側に延在している付属側接続部３０ｂとを備え、付属側接続部３０ｂにはねじ孔（不図示）が設けられており、端子ねじ３２及び端子座金３３を介して端子台ケース２６に固定されている。他方の端子台補助端子３１も一方の端子台補助端子３０と同一形状であり、本体側接続部３１ａと、端子台負荷側端子２８ａ，２８ｂ側に延在している付属側接続部３１ｂとを備え、付属側接続部３１ｂはねじ孔（不図示）が設けられ、端子ねじ３２及び端子座金３３を介して端子台ケース２６に固定されている。
【００１９】
ここで、図５及び図６に示すように、端子台ケース２６には、一方の端子台補助端子３０の本体側接続部３０ａ及び付属側接続部３０ｂの間に、これら本体側接続部３０ａ及び付属側接続部３０ｂの連結部分を除いて両者を仕切る仕切り壁３４，３５が形成されている。また、仕切り壁３４，３５より端子台電源側端子２７ａ，２７ｂ側の領域には、付属側接続部３０ｂを含めて端子台ケース２６の短尺方向の両端まで直線状に延在する第１の配線用空間３６が形成されている。
【００２０】
また、端子台ケース２６は、他方の端子台補助端子３１の本体側接続部３１ａ及び付属側接続部３１ｂの間に、これら本体側接続部３１ａ及び付属側接続部３１ｂの連結部分を除いて両者を仕切る仕切り壁３７，３８が形成されている。また、仕切り壁３７，３８より端子台負荷側端子２８ａ，２８ｂ側の領域には、付属側接続部３１ｂを含めて端子台ケース２６の短尺方向の両端まで直線状に延在する第２の配線用空間３９が形成されている。
【００２１】
次に、図７は、配電盤１の盤内に警報装置７に対して３台の回路遮断器２Ａ，２Ｂ，２Ｃの補助接点６を並列に接続する際に、各回路遮断器２Ａ，２Ｂ，２Ｃの端子台２０の配置位置及び端子台２０の配線状態を示すものである。
図７に示すように、３台の回路遮断器２Ａ，２Ｂ，２Ｃの端子台２０を短尺方向に並べて配電盤１に固定する。
短尺方向に並べて配置した３台の端子台２０は、互いの仕切り壁３４，３５より端子台電源側端子２７ａ，２７ｂ側に設けた第１の配線用空間３６が短尺方向に直線状に連続するとともに、互いの仕切り壁３７，３７より端子台負荷側端子２８ａ，２８ｂ側に設けた第２の配線用空間３９が短尺方向に直線状に連続する。
【００２２】
これら３台の端子台２０の短尺方向に連続する第１の配線用空間３６に板状の第１のブスバー４０を配置し、この第１のブスバー４０を各端子台２０の付属側接続部３０ｂの端子ねじ３２及び端子座金３３で固定する。また、３台の端子台２０の短尺方向に連続する第２の配線用空間３９に板状の第２のブスバー４１を配置し、この第２のブスバー４１を、各端子台２０の付属側接続部３１ｂの端子ねじ３２及び端子座金３３で固定する。そして、第１及び第２ブスバー４０，４１の一端に警報装置７を接続する。
【００２３】
そして、上記のように配電盤１に配置した３台の端子台２０に対して、端子台電源側端子２７ａ，２７ｂ側の差し込み口２９に、回路遮断器本体２１の本体電源側外部端子２３ａ，２３ｂを差し込み、端子台負荷側端子２８ａ，２８ｂ側の差し込み口２９に、回路遮断器本体２１の本体負荷側外部端子２４ａ，２４ｂを差し込むことで、回路遮断器本体２１が端子台２０に装着されるとともに、本体電源側外部端子２３ａ，２３ｂが端子台電源側端子２７ａ，２７ｂに接続し、本体負荷側外部端子２４ａ，２４ｂが端子台負荷側端子２８ａ，２８ｂに接続し、回路遮断器本体２１の本体補助外部端子２５ａ，２５ｂが、端子台２０の本体側接続部３０ａ，３１ａに接続する。
【００２４】
これにより、図８で示したように、配電盤１に３台の回路遮断器２Ａ，２Ｂ，２Ｃが配置され、これら回路遮断器２Ａ，２Ｂ，２Ｃの補助接点６が警報装置７に対して並列に接続される。そして、負荷Ａ〜負荷Ｃに接続している回路遮断器２Ａ，２Ｂ，２Ｃの何れかに短絡事故等による過電流が流れたときに、その回路遮断器の主回路接点４が過電流引外し装置５によってトリップ状態となり、補助接点６が閉動作を行うことで、警報装置７が警報音を発する。
【００２５】
ここで、本発明に係る外部接続端子が、本体電源側外部端子２３ａ，２３ｂ、本体負荷側外部端子２４ａ，２４ｂに対応し、本発明に係る付属装置が、警報装置７に対応し、本発明に係る第１の付属側接続部が、端子台補助端子３０の付属側接続部３０ｂに対応し、本発明に係る第２の付属側接続部が端子台補助端子３１の付属側接続部３１ｂに対応し、本発明に係る第１の直線状配線部材が、第１のブスバー４０に対応し、本発明に係る第２の直線状配線部材が、第２のブスバー４１に対応している。
【００２６】
次に、本実施形態の効果について説明する。
本実施形態の回路遮断器２Ａ，２Ｂ，２Ｃを構成する３台の端子台２０は、配電盤１の盤内に短尺方向に並べて配置すると、警報装置７に接続する付属側接続部３０ｂを備えた第１の配線用空間３６が短尺方向に直線状に連続し、警報装置７に接続する付属側接続部３１ｂを備えた第２の配線用空間３９が短尺方向に直線状に連続した状態となる。これら直線状に連続した第１の配線用空間３６及び第２の配線用空間３９に、第１のブスバー４０及び第２のブスバー４１を配置し、第１のブスバー４０に付属側接続部３０ｂを接続し、第２のブスバー４１に付属側接続部３１ｂを接続するという簡単な配線作業を行うだけで、警報装置７に対して回路遮断器２Ａ，２Ｂ，２Ｃの補助接点６を並列に接続することができる。したがって、従来装置のような渡り配線、且つ交叉した状態で配線を接続する作業が不要となるので配線間違いを確実に防止し、配電盤１の盤内での回路遮断器２Ａ，２Ｂ，２Ｃの配線の接続作業を容易に行うことができる。
【００２７】
また、３台の端子台２０の間で互いに平行に延在している第１及び第２のブスバー４０，４１は、それらの間に仕切り壁３４，３５，３７，３８が設けられて十分な絶縁距離が確保されているので、非絶縁性の第１及び第２のブスバー４０，４１を使用しても絶縁性を十分に確保することができる。
なお、上記実施形態では、短尺方向に直線状に連続する第１の配線用空間３６及び第２の配線用空間３９に、板状の第１及び第２のブスバー４０，４１を配置したが、本発明の要旨がこれに限定されるものではなく、例えば、棒状の銅線を第１の配線用空間３６及び第２の配線用空間３９に配置し、その棒状の銅線を、端子ねじ３２、端子座金３３を介して付属側接続部３０ｂ，３１ｂに固定するようにしても、同様の効果を得ることができる。
【００２８】
また、上記実施形態では、３台の回路遮断器２Ａ，２Ｂ，２Ｃについて説明したが、他の台数の回路遮断器を使用しても同様の効果を得ることができる。
さらに、上記実施形態では警報装置７を回路遮断器２Ａ，２Ｂ，２Ｃの補助接点６に並列に接続するようにしたが、警報装置７に代わる他の付属装置を採用してもよい。
さらに、上記実施形態のプラグイン形の回路遮断器２Ａ，２Ｂ，２Ｃは、配電盤１に限らず、分電盤、制御盤などに配置してもよい。
【符号の説明】
【００２９】
１…配電盤、２Ａ，２Ｂ，２Ｃ…回路遮断器、３…主回路、４…主回路接点、５…過電流引外し装置、６…補助接点、７…警報装置、２０…端子台、２１…回路遮断器本体、２２…開閉操作ハンドル、２３ａ，２３ｂ…本体電源側外部端子、２４ａ，２４ｂ…本体負荷側外部端子、２５ａ，２５ｂ…本体補助外部端子、２６…端子台ケース、２７ａ，２７ｂ…端子台電源側端子、２８ａ，２８ｂ…端子台負荷側端子、２９…差し込み口、３０，３１…端子台補助端子、３０ａ，３１ａ…本体側接続部、３０ｂ，３１ｂ…付属側接続部、３２…端子ねじ、３３…端子座金、３４，３５，３７，３８…仕切り壁、３６…第１の配線用空間、３９…第２の配線用空間、４０…第１のブスバー、４１…第２のブスバー
【図１】
2015096011.tif 000003
【図２】
2015096011.tif 000004
【図３】
2015096011.tif 000005
【図４】
2015096011.tif 000006
【図５】
2015096011.tif 000007
【図６】
2015096011.tif 000008
【図７】
2015096011.tif 000009
【図８】
2015096011.tif 000010
【図９】
2015096011.tif 000011